(57)【要約】  本発明は滑りレール内で走行可能である電気式もしくは電気−機械式の固定装置、特にドア固定装置に関する。この場合、滑りレールは下側室と上側室とを有し、上側室には給電ユニットが配置されかつ下側室には保持メカニズムを有する滑りブロックと固持メカニズムとが配置されている。この処置の目的は公知のドア固定装置に較べて、特に給電に関して改善された電気式もしくは電気−機械式のドア固定装置を提供することである。
2007506014.tif 000002
【特許請求の範囲】
【請求項１】
電気式もしくは電気−機械式のドア固定装置であって、該ドア固持装置が滑りレール（１）内に配置されており、滑りレール（１）が少なくとも１つの下側室（３）と少なくとも１つの上側室（２）とを有し、前記上側室（２）に給電ユニット（４）が埋設されておりかつ前記下側室（３）内で保持メカニズム（８）を有する滑りブロック（７）が滑動可能でかつ前記下側室（３）内に固持メカニズム（９）が配置されており、該固持メカニズム（９）が前記給電ユニット（４）と作用的に結合させられていることを特徴とする、電気式もしくは電気−機械式のドア固定装置。
【請求項２】
前記給電ユニット（４）が２つの平行に延在する導電路（５）を有している、請求項１記載の電気式もしくは電気−機械式のドア固定装置。
【請求項３】
前記固持メカニズム（９）に前記２つの導電路（５）と協働する、特にばね負荷された２つの接触ピン（１１）が設けられている、請求項２記載の電気式もしくは電気−機械式のドア固定装置。
【請求項４】
前記保持メカニズム（８）を有する前記滑りブロック（７）と前記固持メカニズム（９）とが前記滑りレール（１）の長手方向に滑動可能である、請求項１記載の電気式もしくは電気−機械式のドア固定装置。
【請求項５】
前記給電ユニット（４）が前記滑りレール（１）の部分長さだけに亘って延在している、請求項１記載の電気式もしくは電気−機械式のドア固定装置。
【請求項６】
前記給電ユニット（４）が一端に前記固持装置（９）のためのストッパ（６）を有している、請求項１から５までのいずれか１項記載の電気式もしくは電気−機械式のドア固定装置。
【請求項７】
前記保持メカニズム（８）が前記滑りブロック（７）から突出し、ドアを固定するために前記固持メカニズム（９）に侵入しかつ給電状態で前記固持メカニズム（９）により保持される、請求項１から６までのいずれか１項記載の電気式もしくは電気−機械式のドア固定装置。
【請求項８】
前記保持メカニズム（８）がバックカットされたピンを有している、請求項１から７までのいずれか１項記載の電気式もしくは電気−機械式のドア固定装置。
【請求項９】
前記固持メカニズム（９）内へ前記保持メカニズム（８）が侵入する係止力よりも大きい接触力が前記ストッパ（６）と前記固持メカニズム（９）との間に例えば磁石で発生させることが可能である、請求項１から８までのいずれか１項記載の電気式もしくは電気−機械式のドア固定装置。
【請求項１０】
前記固持メカニズム（９）と前記滑りブロック（７）との間に接触力が例えば磁石によって発生させることが可能である、請求項１から９までのいずれか１項記載の電気式もしくは電気−機械式のドア固定装置。
【発明の詳細な説明】
【技術分野】
【０００１】
本発明は、滑りレール内に配置され、アームを介してドアクローザ又はドア駆動装置と結合された滑りブロックと協働する電気式もしくは電気−機械式のドア固定装置に関する。
【０００２】
このようなドア固定装置は、例えば回転ドアを固定するために役立つ。前記ドア固定装置が純機械式に働かない場合に該ドア固定装置にエネルギを供給するために、該ドア固定装置は給電装置を備えていることができる。公知のドア固定装置はいずれの場合にも十分に満足できる働きを有するが該ドア固定装置には特に給電に関して改善の要求がある。
【０００３】
したがって本発明の課題は公知のドア固定装置に対し改善されかつ簡単な構成を有する電気式もしくは電気−機械式のドア固定装置を提供することである。
【０００４】
この課題は請求項１の特徴により解決された。
【０００５】
本発明によれば電気式もしくは電気−機械式の固定装置、特にドア固定装置は滑りレール内で走行可能であり、該滑りレールが下側室と上側室を有し、上側室に給電ユニットが配置されかつ下側室内に保持メカニズムを有する給電ユニットと固持メカニズムとが配置されている。
【０００６】
この構成によって給電装置と滑りレール内に配置された固定装置とは空間的に互いに分離されるので、確実な給電と、滑りレール内での固定装置の機能的に好適な案内との両方が保証されるようになった。
【０００７】
従属請求項には本発明の有利な構成が記載されている。
【０００８】
本発明の更なる詳細、特徴及び利点は図面に基づく有利な実施例についての以下の説明に記載されている。
【０００９】
図１は本発明の固定装置の側面図。
【００１０】
図２は図１のＡ−Ａ線に沿った横断面図。
【００１１】
図３は本発明の固定装置の開放運動時の状態を示した図。
【００１２】
図４は本発明の固定装置の閉鎖運動時の状態を示した図。
【００１３】
図１と図２とには本発明による固定装置の原理的な構造が示されている。滑りレール１内には上側室２と下側室３とが構成されている。両方の室２，３は幅の狭い縁ウェブによって互いに隔離されている。上側室２には給電ユニット４が配置されている。給電ユニット４の、下側室３に向いた側には互いに平行に延びる２つの導電路５が配置されている。一方の端部に給電ユニット４はストッパ６を備えている。該ストッパ６は下側室３に向かって延在している。給電ユニット４は前記ストッパ６で滑りレール１内に位置的に固定されて配置されかつ滑りレール１の部分長さだけに亘って延在している。
【００１４】
下側室３内には滑りブロック７が配置されている。滑りブロック７には保持メカニズム８が配置されており、保持メカニズム８は図示の実施例の場合には滑りブロック７から滑りレール１の長手方向に突出するバックカットされたピンから構成されている。下側室３には同様に滑りレール１の長手方向に移動可能な固持メカニズム９が支承されている。この固持メカニズム９は保持メカニズム８を受容する切欠き１０を備えている。さらに固持メカニズム９は上側室２に向けられた側に、ばね負荷された２つの接触ピン１１を有している。この接触ピン１１は上側室２における導電路５に沿って滑動することができる。固持メカニズム９は突起１２を有し、該突起１２はストッパ６と協働する。
【００１５】
以下、本発明の固定装置の作用形式を説明する。
【００１６】
固持メカニズム９は出発位置ではその突起１２でストッパ６に当接している。固持メカニズム９が給電された状態で滑りブロック７は保持メカニズム８で固持メカニズム９に接近する（図１に示された位置を参照）。滑りブロック７が固持メカニズム９に達すると、保持メカニズム８は固持メカニズム９内へ侵入しかつ固持メカニズム９を開放方向へ、つまり図１で左へ移動させる。
【００１７】
保持メカニズム８と固持メカニズム９との間に確保された係止状態が与えられる前に、保持メカニズム８が固持メカニズム９に侵入する場合に固持メカニズム９が移動しないように、ストッパ６と固持メカニズム８との間には、保持メカニズム８が固持メカニズム９内へ侵入する係合力よりも大きい接触力が発生させられている。この接触力は例えば磁石によって発生させられることができる。接触力は滑りブロック７が固持メカニズム９と共に引続き左へ図３に示された位置に移動すると解消され、これによって固持メカニズム９がストッパ６から押離される。その際、滑りブロック７はその形状に基づきストッパ６の下を通過しかつ固持メカニズム９を図３にて左へ移動させる。
【００１８】
給電ユニット４における導電路５の長さに応じて固持メカニズム９は開放方向に移動する場合に長さの異なる時間に亘って給電される。
【００１９】
固持メカニズム９が給電ユニット４の領域を後にすると保持メカニズム８も固持メカニズム９に固持されなくなる。固持メカニズム９に給電されない前記状態で滑りブロック７が閉鎖位置へ、つまり図３にて右へ移動すると、固持メカニズム９も再び連行されなければならない。このためには例えば磁石によって滑りブロック７と固持メカニズム９との間に接触力が与えられており、この接触力によって固持メカニズム９の確保された連行が保証される。ドアが自動閉鎖する場合には滑りブロック７と固持メカニズム９とは一緒に閉鎖位置へ、つまり図４で右へ移動する。接触ピン１１が通電する導電路５に再び接触すると、固持メカニズム９に給電され、保持メカニズム８が固持メカニズム９内に係止される。
【００２０】
固持メカニズム９の突起１２がストッパ６に当接すると（図４を参照）、ドアがそれ以上閉鎖することは阻止される。何故ならば保持及び固持メカニズム８，９の係止によって滑りブロック７も固持されるからである。ドアに必要な押し力を作用させてはじめて係止が克服され、ドアは例えばドアクローザで閉じられることができる。
【００２１】
固持メカニズム９が給電されていない場合でも、保持メカニズム８と固持メカニズム９との間の係止装置が働かないので、固持メカニズム９がストッパ６に留まり、滑りブロック７が保持メカニズム８と一緒にストッパ６の下を通過できることを除いては機能経過は先きに述べた機能経過と同じである。
【図面の簡単な説明】
【００２２】
【図１】本発明による固定装置の側面図。
【図２】図１のＡ−Ａ線に沿った横断面図。
【図３】開放運動時の状態で本発明の固定装置を示した図。
【図４】閉鎖運動時の状態で本発明の固定装置を示した図。
【符号の説明】
【００２３】
１  滑りレール、  ２  上側室、  ３  下側室、  ４  給電ユニット、  ５  導電路、  ６  ストッパ、  ７  滑りブロック、  ８  保持メカニズム、  ９  固持メカニズム、  １０  切欠き、  １１  接触ピン、  １２  突起
【図１】
2007506014.tif 000003
【図２】
2007506014.tif 000004
【図３】
2007506014.tif 000005
【図４】
2007506014.tif 000006
【国際調査報告】
2007506014.tif 000007
2007506014.tif 000008
2007506014.tif 000009
2007506014.tif 000010
2007506014.tif 000011
2007506014.tif 000012